(57)【要約】【課題】ヘッドアクチュエータの揺動を確実に拘束することができる記録ディスク駆動装置を提供する。【解決手段】衝撃に基づき方向Ｄ２に駆動力が生成されると、重り４５は静止位置から第１軸４３回りに第１方向ＦＤに揺動する。レバー４４は静止位置から第１軸４３回りに揺動する。レバー４４との接触に基づき揺動部材４７は第２軸４６回りでヘッドアクチュエータ１７の移動経路に進入する。こうしてヘッドアクチュエータ１７の揺動は拘束される。その一方で、衝撃に基づき方向Ｄ１に駆動力が生成されると、規制部材４７の働きで第２方向ＳＤに重り４５の揺動は阻止される。重り４５やレバー４４、揺動部材４７は静止位置に保持される。衝撃に基づき相反する方向に連続して駆動力が生成されても、ヘッドアクチュエータ１７や重り４５、レバー４４、揺動部材４７は必ず静止位置から揺動し始める。ヘッドアクチュエータ１７の揺動は確実に拘束される。【選択図】図２
2006268982.tif 000002
【特許請求の範囲】
【請求項１】
記録ディスクに向き合わせられるヘッドスライダと、記録ディスクの外側に配置されるランプ部材と、ヘッドスライダを支持し、支軸回りの揺動に基づきランプ部材から離脱する際に所定の移動経路を辿るヘッドアクチュエータと、第１軸に揺動自在に支持されるレバーと、レバーに連結されつつ第１軸に揺動自在に支持され、第１軸回りに第１方向の揺動に基づきヘッドアクチュエータに向かって移動する重りと、第１方向に逆向きの第２方向に第１軸回りで重りの揺動を阻止する規制部材と、第２軸に揺動自在に支持され、第１軸回りで揺動するレバーに接触して第２軸回りでヘッドアクチュエータの移動経路に進入する揺動部材とを備えることを特徴とする記録ディスク駆動装置。
【請求項２】
請求項１に記載の記録ディスク駆動装置において、前記規制部材は、前記第２方向に第１軸回りで前記レバーの揺動を阻止することを特徴とする記録ディスク駆動装置。
【請求項３】
請求項２に記載の記録ディスク駆動装置において、前記規制部材は、第１軸回りで前記第２方向に揺動するレバーの接触に基づき第２軸回りで相反する回転モーメントを同時に生み出す第１および第２接触面を備えることを特徴とする記録ディスク駆動装置。
【発明の詳細な説明】
【技術分野】
【０００１】
本発明は、例えばハードディスク駆動装置（ＨＤＤ）といった記録ディスク駆動装置に関し、特に、記録ディスクと、記録ディスクの外側に配置されるランプ部材とを備える記録ディスク駆動装置に関する。
【背景技術】
【０００２】
例えばＨＤＤにはヘッドアクチュエータが組み込まれる。ヘッドアクチュエータは所定の移動経路に沿って支軸回りで揺動することができる。ヘッドアクチュエータが磁気ディスクの外側に向かって順方向に最大限に揺動すると、ヘッドアクチュエータは休止位置に位置決めされる。ヘッドアクチュエータの先端はランプ部材に受け止められる。その一方で、ヘッドアクチュエータが休止位置から順方向とは反対の逆方向に向かって揺動すると、ヘッドアクチュエータの先端はランプ部材から離脱する。
【０００３】
ＨＤＤ内にはいわゆるラッチ機構が組み込まれる。ラッチ機構は、第１軸に揺動自在に支持されるレバーと、レバーに連結されつつ第１軸に揺動自在に支持される重りとを備える。重りの慣性力に基づきレバーが第１軸回りで静止位置から揺動すると、レバーは揺動部材に接触する。第１方向に揺動するレバーとの接触や、第１方向に逆向きの第２方向に揺動するレバーとの接触に基づき、揺動部材は第２軸回りで静止位置から揺動する。こうして揺動部材はヘッドアクチュエータの移動経路に進入することができる。
【特許文献１】特表２００２−５４２５５７号公報
【特許文献２】特開平１１−１６３０３号公報
【特許文献３】国際公開第００／７４０５６号パンフレット
【発明の開示】
【発明が解決しようとする課題】
【０００４】
こうしたＨＤＤでは、例えば落下の衝撃に基づき相反する順方向および逆方向に連続して駆動力が生成されると、順方向の駆動力に基づき第２方向に第１軸回りでレバーは静止位置から揺動する。第２軸回りで揺動部材は静止位置から揺動する。こうして揺動部材はヘッドアクチュエータの移動経路に進入する。このとき、ヘッドアクチュエータは休止位置に保持される。続いて、連続する逆方向の駆動力に基づきヘッドアクチュエータは休止位置から揺動し始める。
【０００５】
このとき、レバーや揺動部材は静止位置からずれた位置に位置決めされることから、レバーや揺動部材は静止位置から揺動し始めることができない。その結果、揺動部材が移動経路に進入する前にヘッドアクチュエータは通過してしまう。揺動部材はヘッドアクチュエータの揺動を拘束することができない。ヘッドアクチュエータはランプ部材から離脱してしまう。ヘッドスライダは磁気ディスクの表面に接触してしまう。ヘッドスライダが破損してしまう可能性があった。
【０００６】
本発明は、上記実状に鑑みてなされたもので、ヘッドアクチュエータの揺動を確実に拘束することができる記録ディスク駆動装置を提供することを目的とする。
【課題を解決するための手段】
【０００７】
上記目的を達成するために、本発明によれば、記録ディスクに向き合わせられるヘッドスライダと、記録ディスクの外側に配置されるランプ部材と、ヘッドスライダを支持し、支軸回りの揺動に基づきランプ部材から離脱する際に所定の移動経路を辿るヘッドアクチュエータと、第１軸に揺動自在に支持されるレバーと、レバーに連結されつつ第１軸に揺動自在に支持され、第１軸回りに第１方向の揺動に基づきヘッドアクチュエータに向かって移動する重りと、第１方向に逆向きの第２方向に第１軸回りで重りの揺動を阻止する規制部材と、第２軸に揺動自在に支持され、第１軸回りで揺動するレバーに接触して第２軸回りでヘッドアクチュエータの移動経路に進入する揺動部材とを備えることを特徴とする記録ディスク駆動装置が提供される。
【０００８】
記録ディスクの静止時、ヘッドアクチュエータは休止位置に保持される。同様に、重りやレバー、揺動部材は静止位置に保持される。衝撃に基づきヘッドアクチュエータをランプ部材から離脱させる方向に駆動力が生成されると、重りは静止位置から第１軸回りに第１方向に揺動する。重りはヘッドアクチュエータに向かって移動する。こうして静止位置からレバーの第１軸回りの揺動は引き起こされる。レバーの揺動に基づき揺動部材は静止位置から揺動してヘッドアクチュエータの移動経路に進入する。揺動部材に基づきヘッドアクチュエータの揺動は拘束される。
【０００９】
その一方で、衝撃に基づき前述とは逆の方向に駆動力が生成されると、規制部材の働きで第１方向に逆向きの第２方向に重りの揺動は阻止される。重りは静止位置に保持される。同様に、レバーおよび揺動部材は静止位置に保持される。このとき、ヘッドアクチュエータは休止位置に保持される。
【００１０】
以上のような記録ディスク駆動装置では、衝撃に基づき相反する方向に連続して駆動力が生成されても、重りやレバー、揺動部材は必ず静止位置から揺動し始める。したがって、ヘッドアクチュエータの揺動は確実に拘束されることができる。ヘッドスライダと記録ディスクとの間で接触は回避される。ヘッドスライダの破損は確実に回避されることができる。こうした記録ディスク駆動装置では、規制部材は、第２方向に第１軸回りでレバーの揺動を阻止してもよい。
【００１１】
こういった記録ディスク駆動装置では、規制部材は、第１軸回りで第２方向に揺動するレバーの接触に基づき第２軸回りで相反する回転モーメントを同時に生み出す第１および第２接触面を備えればよい。こうして規制部材で相反する回転モーメントが同時に生み出されれば、第１軸回りで第２方向にレバーの揺動は規制されることができる。こうした規制部材は例えば揺動部材を兼ねてもよい。
【発明の効果】
【００１２】
以上のように本発明は、衝撃に基づくヘッドアクチュエータの揺動を確実に拘束することができ、信頼性や安全性の高い記録ディスク駆動装置を提供することができる。
【発明を実施するための最良の形態】
【００１３】
以下、添付図面を参照しつつ本発明の一実施形態を説明する。
【００１４】
図１は本発明に係る記録ディスク駆動装置の一具体例すなわちハードディスク駆動装置（ＨＤＤ）１１の内部構造を概略的に示す。このＨＤＤ１１は箱形の筐体すなわちハウジング１２を備える。ハウジング１２は、例えば平たい直方体の内部空間すなわち収容空間を区画する箱形のベース１３を備える。ベース１３は例えばアルミニウムといった金属材料から鋳造に基づき成形されればよい。
【００１５】
ベース１３には蓋体すなわちカバー（図示されず）が結合される。カバーとベース１３との間で収容空間は密閉される。カバーは例えばプレス加工に基づき１枚の板材から成形されればよい。板材には例えばアルミニウムの金属板が用いられればよい。板材は例えば積層材から構成されてもよい。
【００１６】
収容空間には、記録媒体としての１枚以上の磁気ディスク１５が収容される。磁気ディスク１５はスピンドルモータ１６の回転軸に装着される。スピンドルモータ１６は例えば５４００ｒｐｍや７２００ｒｐｍ、１００００ｒｐｍ、１５０００ｒｐｍといった高速度で磁気ディスク１５を回転させることができる。
【００１７】
収容空間にはヘッドアクチュエータ１７がさらに収容される。このヘッドアクチュエータ１７はアクチュエータブロック１８を備える。アクチュエータブロック１８は、垂直方向に延びる支軸１９に回転自在に連結される。アクチュエータブロック１８には、支軸１９から水平方向に延びる複数のアクチュエータアーム２１が区画される。アクチュエータブロック１８は例えば押し出し成形に基づきアルミニウムから成型されればよい。
【００１８】
個々のアクチュエータアーム２１の先端には、アクチュエータアーム２１から前方に延びるヘッドサスペンション２２が取り付けられる。ヘッドサスペンション２２の先端にはいわゆるジンバルばね（図示されず）が接続される。ジンバルばねの表面に浮上ヘッドスライダ２３は固定される。こうしたジンバルばねの働きで浮上ヘッドスライダ２３はヘッドサスペンション２２に対してその姿勢を変化させることができる。
【００１９】
浮上ヘッドスライダ２３にはいわゆる磁気ヘッドすなわち電磁変換素子（図示されず）が搭載される。この電磁変換素子は、例えば、薄膜コイルパターンで生成される磁界を利用して磁気ディスク１５に情報を書き込む薄膜磁気ヘッドといった書き込み素子と、スピンバルブ膜やトンネル接合膜の抵抗変化を利用して磁気ディスク１５から情報を読み出す巨大磁気抵抗効果（ＧＭＲ）素子やトンネル接合磁気抵抗効果（ＴＭＲ）素子といった読み出し素子とで構成されればよい。
【００２０】
磁気ディスク１５の回転に基づき磁気ディスク１５の表面で気流が生成されると、気流の働きで浮上ヘッドスライダ２３には正圧すなわち浮力および負圧が作用する。浮力および負圧とヘッドサスペンション２２の押し付け力とが釣り合うことで磁気ディスク１５の回転中に比較的に高い剛性で浮上ヘッドスライダ２３は浮上し続けることができる。
【００２１】
こういった浮上ヘッドスライダ２３の浮上中にヘッドアクチュエータ１７が支軸１９回りで回転すると、浮上ヘッドスライダ２３は磁気ディスク１５の半径線に沿って移動することができる。その結果、浮上ヘッドスライダ２３上の電磁変換素子は最内周記録トラックと最外周記録トラックとの間でデータゾーンを横切ることができる。こうして浮上ヘッドスライダ２３上の電磁変換素子は目標の記録トラック上に位置決めされる。
【００２２】
アクチュエータブロック１８にはボイスコイルモータ（ＶＣＭ）２４が連結される。アクチュエータブロック１８には、支軸１９から水平方向に延びる支持体２５が一体に形成される。支持体２５にはＶＣＭ２４のコイル２６が巻き付けられる。支持体２５は、ＶＣＭ２４に固定される永久磁石（図示されず）に向き合わせられる。電流の供給に応じてコイル２６で磁界が生成されると、アクチュエータブロック１８すなわちヘッドアクチュエータ１７の揺動は引き起こされる。
【００２３】
ヘッドサスペンション２２の先端には、ヘッドサスペンション２２の先端から前方に延びるロード部材すなわちロードタブ２７が固定される。ロードタブ２７はヘッドアクチュエータ１７の揺動に基づき磁気ディスク１５の半径方向に移動することができる。ロードタブ２７の移動経路上には磁気ディスク１５の外側でランプ部材２８が配置される。ロードタブ２７はランプ部材２８の表面に受け止められる。
【００２４】
ランプ部材２８は、磁気ディスク１５の外側でベース１３の底板に例えばねじ留めされる取り付け台２９を備える。取り付け台２９には、ヘッドアクチュエータ１７の支軸１９に向かって水平面に沿って突き出る突片３１が形成される。突片３１は例えば一体成型に基づき取り付け台２９に一体化される。突片３１の先端は最外周記録トラックの外側で非データゾーンに向き合わせられる。ランプ部材２８およびロードタブ２７は協働でいわゆるロードアンロード機構を構成する。ランプ部材２８は例えば硬質プラスチック材料から成型されればよい。
【００２５】
ヘッドアクチュエータ１７には保持機構３２が組み合わせられる。この保持機構３２は、支持部材３３内に保持される永久磁石３４と、永久磁石３４に向き合わせられる金属片３５とを備える。支持部材３３は例えばゴムといった弾性樹脂材料から形成される。こうした支持部材３３は例えばベース１３に固定される。金属片３５は支持体２５の一端に取り付けられる。永久磁石３４は金属片３５に磁界を作用させる。金属片３５は永久磁石３４に引き寄せられる。
【００２６】
図１から明らかなように、ヘッドアクチュエータ１７が磁気ディスク１５の外側に向かって順方向Ｄ１に最大限に揺動すると、金属片３５は永久磁石３４に受け止められる。ロードタブ２７はランプ部材２８上に保持される。こうしてヘッドアクチュエータ１７は休止位置に位置決めされる。その一方で、ヘッドアクチュエータ１７が休止位置から順方向Ｄ１とは反対の逆方向Ｄ２に向かって揺動すると、ロードタブ２７はランプ部材２８から離脱する。
【００２７】
ヘッドアクチュエータ１７には拘束機構すなわちラッチ機構４１がさらに組み合わせられる。このラッチ機構４１は、支持体２５に形成される突出片４２を備える。突出片４２は支持体２５の一端に形成される。突出片４２は、支軸１９の軸心を中心に描かれる仮想円上に延びる。こうした突出片４２は支持体２５に一体に形成されればよい。突出片４２はヘッドアクチュエータ１７すなわち支持体２５の揺動に基づき前述の仮想円上で所定の移動経路に沿って移動する。
【００２８】
ラッチ機構４１は、ベース１３から直立する第１軸４３に揺動自在に支持される平板状のレバー４４を備える。レバー４４には重り４５が連結される。重り４５は第１軸４３に揺動自在に支持される。こうしてレバー４４は重り４５の慣性力に基づき第１軸４３回りで揺動することができる。レバー４４や重り４５は例えばステンレス鋼といった金属材料から構成されればよい。
【００２９】
レバー４４や重り４５は静止位置から第１方向ＦＤに第１軸４３回りで揺動することができる。その一方で、後述されるように、レバー４４や重り４５では静止位置から第１方向ＦＤに逆向きの第２方向ＳＤに第１軸４３回りで揺動は阻止される。第１方向ＦＤは前述の逆方向Ｄ２と同一の向きに規定される。その一方で、第２方向ＳＤは前述の順方向Ｄ１と同一の向きに規定される。
【００３０】
レバー４４には、ベース１３から直立する第２軸４６に揺動自在に支持される揺動部材４７が関連付けられる。後述されるように、揺動部材４７は、第１方向ＦＤに第１軸４３回りで揺動するレバー４４との接触に基づき第２軸４６回りでヘッドアクチュエータ１７すなわち突出片４２の移動経路に進入することができる。揺動部材４７は例えば樹脂材料から構成されればよい。
【００３１】
図２に示されるように、レバー４４の先端には、レバー４４の裏面からベース１３の底板に向かって突き出る第１および第２接触片４８、４９が形成される。第２接触片４９はレバー４４の先端に配置されればよい。第１接触片４８は第２接触片４９に所定の間隔で隔てられる。第１および第２接触片４８、４９は例えば円柱形に形成されればよい。揺動部材４７は第１および第２接触片４８、４９の間に配置される。
【００３２】
揺動部材４７は、第２軸４６から相互に反対向きに延びる第１および第２揺動片５１、５２を備える。第２揺動片５２の表面には突片５３が形成される。第１および第２揺動片５１、５２並びに突片５３は一体に形成される。図３を併せて参照し、第１揺動片５１は、その側面に規定される第１接触面５４で第１接触片４８に接触する。突片５３は、その側面に規定される第２接触面５５でレバー４４に接触する。第２揺動片５２は、その側面に規定される第３接触面５６で第２接触片４９に接触する。
【００３３】
第１揺動片５１には、第１揺動片５１が突出片４２の移動経路に進入する際、突出片４２の受け入れを許容する受け入れ口５７が形成される。その一方で、第２揺動片５２には磁性片すなわち金属片５８が固定される。金属片５８は、ＶＣＭ２４の永久磁石から作用する磁界に基づきＶＣＭ２４に引き寄せられる。こうした金属片５８の働きで第１揺動片５１は突出片４２の移動経路から後退した静止位置に保持される。
【００３４】
いま、磁気ディスク１５の回転が停止する場面を想定する。情報の書き込みや読み出しが完了すると、ＶＣＭ２４は支軸１９回りで順方向Ｄ１にヘッドアクチュエータ１７を回転させる。アクチュエータアーム２１およびヘッドサスペンション２２は磁気ディスク１５の外側に向かって駆動される。浮上ヘッドスライダ２３が最外周記録トラックを越えてランディングゾーンすなわち非データゾーンに向き合うと、ロードタブ２７は突片３１に接触する。さらにアクチュエータアーム２１が揺動すると、ロードタブ２７は突片３１上の傾斜面を登っていく。ロードタブ２７は磁気ディスク１５の表面から引き離される。
【００３５】
その後、アクチュエータアーム２１が順方向Ｄ１にさらに揺動すると、ロードタブ２７は突片３１上を摺動する。ロードタブ２７が最大限に磁気ディスク１５から外側に遠ざかると、支持体２５の金属片３５は永久磁石３４に受け止められる。ロードタブ２７はランプ部材２８上に位置決めされる。こうしてヘッドアクチュエータ１７は休止位置に位置決めされる。磁気ディスク１５の回転は停止する。ロードタブ２７はランプ部材２８上に保持されることから、無風状態にも拘わらず磁気ディスク１５に対する浮上ヘッドスライダ２３の衝突や接触は回避されることができる。磁気ディスク１５の表面に広がる潤滑剤と浮上ヘッドスライダ２３との吸着は効果的に阻止されることができる。
【００３６】
ＨＤＤ１１が情報の書き込みや読み出しといった指令を受け取ると、まず、磁気ディスク１５の回転が始まる。磁気ディスク１５の回転が定常状態に達すると、ＶＣＭ２４は逆方向Ｄ２に支軸１９回りにヘッドアクチュエータ１７を回転させる。アクチュエータアーム２１およびヘッドサスペンション２２は磁気ディスク１５の回転軸に向かって駆動される。ロードタブ２７は突片３１上を摺動していく。アクチュエータアーム２１の揺動に基づきロードタブ２７は突片３１上の傾斜面を下っていく。
【００３７】
こうしてロードタブ２７が傾斜面を下っていく間に浮上ヘッドスライダ２３は磁気ディスク１５の表面に向き合う。浮上ヘッドスライダ２３には、磁気ディスク１５の表面に沿って生成される気流に基づき浮力が付与される。その後、アクチュエータアーム２１が逆方向Ｄ２にさらに揺動すると、ロードタブ２７はランプ部材２８から離脱する。磁気ディスク１５が定常状態で回転する結果、ランプ部材２８に支えられなくても浮上ヘッドスライダ２３は磁気ディスク１５の表面から浮上し続けることができる。こうしてヘッドアクチュエータ１７は所定の移動経路を辿る。
【００３８】
磁気ディスク１５の静止時、図２に示されるように、ヘッドアクチュエータ１７の金属片３５は永久磁石３４の磁界に基づき支持部材３３に受け止められる。こうしてヘッドアクチュエータ１７は休止位置に保持される。このとき、ベース１３に加わる衝撃に基づき逆方向Ｄ２に駆動力が生成される場面を想定する。ヘッドアクチュエータ１７は、永久磁石３４の磁界にも拘わらず慣性力に基づき支軸１９回りで休止位置から逆方向Ｄ２に揺動し始める。支持体２５は支軸１９回りで揺動する。ロードタブ２７は磁気ディスク１４の表面に向かって突片３１上を摺動する。
【００３９】
図４に示されるように、重り４５は慣性力に基づき第１軸４３回りに第１方向ＦＤの揺動に基づきヘッドアクチュエータ１７に向かって移動する。こうした重り４５の揺動に基づきレバー４４は第１方向ＦＤに第１軸４３回りで静止位置から揺動し始める。揺動に基づきレバー４４はヘッドアクチュエータ１７から離れる方向に向かって移動する。レバー４４の第２接触片４９は第３接触面５６で第２揺動片５２に接触する。
【００４０】
こうした接触に基づき第２揺動片５２は、第２軸４６回りで静止位置から揺動し始める。第２揺動片５２の揺動に基づき第１揺動片５１は第２軸４６回りで突出片４２の移動経路に進入する。こうして突出片４２は第１揺動片５１の受け入れ口５７に受け入れられる。ヘッドアクチュエータ１７の揺動は拘束される。磁気ディスク１５に向かうロードタブ２７の移動は突片３１上で拘束される。浮上ヘッドスライダ２３と磁気ディスク１５との間で接触は回避される。浮上ヘッドスライダ２３の破損は確実に回避されることができる。
【００４１】
次に、ベース１３に加わる衝撃に基づき順方向Ｄ１に駆動力が生成される場面を想定する。ヘッドアクチュエータ１７が静止位置に位置決めされると、図２に示されるように、ヘッドアクチュエータ１７の金属片３５は支持部材３３に受け止められる。したがって、順方向Ｄ１に駆動力が生成されても、駆動力は支持部材３３で受け止められる。衝撃にも拘わらずヘッドアクチュエータ１７の揺動は阻止されることができる。ヘッドアクチュエータ１７は休止位置に保持される。
【００４２】
その一方で、重り４５すなわちレバー４４は、第１軸４３回りで第２方向ＳＤに揺動しようとする。このとき、レバー４４は第１接触片４８で揺動部材４７の第１接触面５４に接触する。同時に、レバー４４は突片５３の第２接触面５５に接触する。その結果、揺動部材４７には第２軸４６回りで相反する回転モーメントが同時に生み出される。こうして揺動部材４７の揺動は阻止される。同時に、第２方向ＳＤに第１軸４３回りで重り４５すなわちレバー４４の揺動は阻止される。レバー４４および揺動部材４７は静止位置に保持される。ここでは、揺動部材４７は本発明の規制部材を兼ねる。
【００４３】
以上のようなＨＤＤ１１では、衝撃に基づき相反する順方向Ｄ１および逆方向Ｄ２に連続して駆動力が生成されても、ヘッドアクチュエータ１７は必ず休止位置から揺動し始める。同様に、ラッチ機構４１では、レバー４４および揺動部材４７は必ず静止位置から揺動し始める。したがって、ヘッドアクチュエータ１７の揺動は確実に拘束されることができる。ロードタブ２７の移動はランプ部材２８上で拘束されることができる。浮上ヘッドスライダ２３と磁気ディスク１５との間で接触は回避される。浮上ヘッドスライダ２３の破損は確実に回避されることができる。
【００４４】
その一方で、従来のラッチ機構では揺動部材で突片の形成が省略される。こうしたラッチ機構では、例えば相反する順方向Ｄ１および逆方向Ｄ２に連続して駆動力が生成されると、まず、順方向Ｄ１の駆動力に基づき第２方向ＳＤに第１軸回りでレバーは静止位置から揺動し始める。レバーは第１接触面のみに接触することから、第２軸回りで第１揺動片は揺動する。第１揺動片は突出片の移動経路に進入する。続いて、逆方向Ｄ２の駆動力に基づきヘッドアクチュエータは休止位置から揺動し始める。このとき、レバーや第１揺動片は静止位置からずれた位置に位置決めされることから、レバーや揺動部材は静止位置から揺動し始めることができない。その結果、揺動部材が移動経路に進入する前にヘッドアクチュエータすなわち突出片は通過してしまう。第１揺動片は受け入れ口で突出片を受け入れることができない。ヘッドアクチュエータはランプ部材から離脱してしまう。浮上ヘッドスライダおよび磁気ディスクの表面の接触に基づき浮上ヘッドスライダが破損してしまう可能性があった。
【００４５】
その他、図５に示されるように、突片５３に代えて、ＨＤＤ１１には規制部材６１が組み込まれてもよい。規制部材６１は、第１軸４３から重り４５側でレバー４４とベース１３の内壁面との間に挟み込まれる。レバー４４が規制部材６１に接触すると、レバー４４は静止位置に保持されることができる。規制部材６１は例えば金属材料や弾性樹脂材料から形成されればよい。ただし、規制部材６１は、ベース１３の内壁面に一体に形成されてもよく、レバー４４に一体に形成されてもよい。
【００４６】
こうしたＨＤＤ１１では、規制部材６１の働きで重り４５すなわちレバー４４では第２方向ＳＤに第１軸４３回りの揺動は阻止される。その結果、順方向Ｄ１に駆動力が生成されても、ラッチ機構４１の作動は回避される。続いて、逆方向Ｄ２に揺動させる駆動力が連続して生成されても、ヘッドアクチュエータ１７の揺動は確実に拘束されることができる。その一方で、レバー４４では第１方向ＦＤに第１軸４３回りの揺動は許容される。前述と同様に、逆方向Ｄ２に駆動力が生成されても、ラッチ機構４１は確実に作動することができる。
【００４７】
本発明の記録ディスク駆動装置には、前述のＨＤＤ１１の他、光磁気ディスクとヘッドスライダに搭載される磁気ヘッドとを使用する光磁気ディスク駆動装置や、光ディスクとヘッドスライダに搭載される光学素子とを使用する光ディスク駆動装置といった記録ディスク駆動装置が含まれることができる。
【図面の簡単な説明】
【００４８】
【図１】本発明に係る記録ディスク駆動装置の一具体例すなわちハードディスク駆動装置（ＨＤＤ）の内部構造を概略的に示す斜視図である。
【図２】ラッチ機構の構造を概略的に示す部分拡大平面図である。
【図３】ラッチ機構の構造を概略的に示す部分拡大斜視図である。
【図４】ヘッドアクチュエータの揺動が拘束される様子を概略的に示す部分拡大平面図である。
【図５】ラッチ機構および規制部材の構造を概略的に示す部分拡大平面図である。
【符号の説明】
【００４９】
１１  記録ディスク駆動装置（ハードディスク駆動装置）、１５  記録ディスク、１７  ヘッドアクチュエータ、１９  支軸、２３  ヘッドスライダ、２８  ランプ部材、４３  第１軸、４４  レバー、４５  重り、４６  第２軸、４７  揺動部材（規制部材）、５４  第１接触面、５５  第２接触面、６１  規制部材、ＦＤ  第１方向、ＳＤ  第２方向。
【図１】
2006268982.tif 000003
【図２】
2006268982.tif 000004
【図３】
2006268982.tif 000005
【図４】
2006268982.tif 000006
【図５】
2006268982.tif 000007